(57)【要約】【課題】コンテンツプロバイダによるユーザに対するコンテンツの提供効率の向上を図ることができるシステムを提供する。【解決手段】本発明のコンテンツ管理システム１によれば、ユーザにより設定されたキーワードまたはクライアント２によりアクセスされているサイトに応じた複数のコンテンツが選択される。そして、クライアント２のＩＰアドレス（識別子）に基づいて認識される当該クライアント２の所属先に応じて、当該選択コンテンツのそれぞれの優先順位が決定され、この優先順位にしたがって各コンテンツの概要が当該クライアント２において表示される。【選択図】  図１
2010170247.tif 000002
【特許請求の範囲】
【請求項１】
クライアントにおいてインターネットを介してユーザにより閲覧されうる複数のコンテンツを管理するシステムであって、
前記複数のクライアントのそれぞれを識別するための識別子および所属先を対応付けて保存する第１データベースと、
前記クライアントの所属先に基づき、当該クライアントに固有の前記コンテンツの優先順位を決定するための規則を保存する第２データベースと、
前記クライアントの識別子を認識した上で、この識別子に基づいて前記クライアントの所属先を前記第１データベースから検索する第１処理要素と、
前記第１処理要素により検索された前記クライアントの所属先に基づき、前記第２データベースにより保存されている前記規則にしたがって前記コンテンツの優先順位を決定した上で、前記クライアントにおいて前記ユーザにより指定されることにより閲覧可能なコンテンツの概要を当該優先順位にしたがって前記クライアントに表示させる第２処理要素とを備えていることを特徴とするコンテンツ管理システム。
【請求項２】
請求項１記載のコンテンツ管理システムにおいて、
前記第２処理要素が前記規則に代えて任意に前記コンテンツの一部の優先順位を決定することを特徴とするコンテンツ管理システム。
【請求項３】
請求項１または２記載のコンテンツ管理システムにおいて、
前記第１処理要素が前記クライアントの識別子に基づき、前記クライアントの所属先として上位所属先および当該上位所属先に従属する下位所属先を認識することを特徴とするコンテンツ管理システム。
【請求項４】
請求項１〜３のうちいずれか１つに記載のコンテンツ管理システムにおいて、
前記第１処理要素が前記クライアントにおいてユーザにより設定されたキーワードを認識した上で、前記キーワードに基づいて前記第２処理要素による優先順位の決定対象となるコンテンツを選択することを特徴とするコンテンツ管理システム。
【請求項５】
請求項１〜３のうちいずれか１つに記載のコンテンツ管理システムにおいて、
前記第１処理要素が前記クライアントによるアクセス中のサイトを認識した上で、前記サイトに基づいて前記第２処理要素による優先順位の決定対象となるコンテンツを選択することを特徴とするコンテンツ管理システム。
【請求項６】
請求項１〜５のうちいずれか１つに記載のコンテンツ管理システムにおいて、
前記第２処理要素が前記第１処理要素により決定された優先順位にしたがって一定方向に配列された前記コンテンツの概要のリストを前記クライアントに表示させることを特徴とするコンテンツ管理システム。
【請求項７】
請求項１〜６のうちいずれか１つに記載のコンテンツ管理システムにおいて、
前記第１データベースが前記クライアントの識別子として前記クライアントに割り当てられているＩＰアドレスを保存することを特徴とするコンテンツ管理システム。
【発明の詳細な説明】
【技術分野】
【０００１】
本発明は、サーバからインターネットを通じてクライアントに提供されるコンテンツを管理するシステムに関する。
【背景技術】
【０００２】
サーバ装置によりネットワークを通じてユーザ端末機に提供されるコンテンツをキーワードに基づいて検索するシステムにおいて、複数のコンテンツのそれぞれに対するアクセス履歴情報に基づき、所定の識別子を有するユーザ端末機からのアクセスが多い順にコンテンツの格付けが評価され、評価の高い順にコンテンツを並べ替える技術が提案されている（特許文献１参照）。
【先行技術文献】
【特許文献】
【０００３】
【特許文献１】特開２００８−１４６２０７号公報
【発明の開示】
【発明が解決しようとする課題】
【０００４】
しかし、コンテンツのプロバイダが所望のユーザに対して当該コンテンツを効率的に提供することは困難であった。たとえば、商品またはサービスの製造業者、販売業者または取扱業者等が、商品等の販売促進、売上向上または市場拡大等の商業的成功を図りうるようなユーザに対して、コンテンツプロバイダとして当該商品または当該サービスに関するコンテンツを効率的に提供することは困難であった。たとえば、前記先行技術によれば、あるユーザ端末機を通じたアクセス回数が多いコンテンツが当該ユーザ端末機に対して優先的に提供されうるものの、このユーザがコンテンツの提供者にとって所望のユーザに該当する蓋然性が高いとは言いがたい。このため、コンテンツプロバイダが、コンテンツのキーワードによるサーチエンジンを管理等するセンター業者に対してそのコンテンツへのアクセス回数に応じた金員を支払うという商取引契約が締結されている場合、当該金員の支払意義が損なわれかねない。特に、意図的または悪意的にコンテンツへのアクセスが無駄に繰り返された場合、コンテンツプロバイダが経済的損失を被ることになる。しかも、センター業者がなんら責任を負わないという構造になっており、そのような損失を被ったプロバイダがなんら救済されることはないという状況は、コンテンツの健全な需要および供給等の観点から著しく不適当である。財政的に豊かであるといいがたい中小企業等のコンテンツプロバイダにとってこのような状況は非常に深刻である。また、社会の発展に貢献しようとする善良な企業または個人の円滑な経済的活動が阻害されてしまう事態をも招きかねず、その社会的損失も無視できない。
【０００５】
そこで、本発明は、コンテンツプロバイダによるユーザに対するコンテンツの提供効率の向上を図ることができるシステムを提供することを解決課題とする。
【課題を解決するための手段】
【０００６】
第１発明のコンテンツ管理システムは、クライアントにおいてインターネットを介してユーザにより閲覧されうる複数のコンテンツを管理するシステムであって、前記複数のクライアントのそれぞれに割り当てられている識別子および所属先を対応付けて保存する第１データベースと、前記クライアントの所属先に基づき、当該クライアントに固有の前記コンテンツの優先順位を決定するための規則を保存する第２データベースと、前記クライアントの識別子を認識した上で、この識別子に基づいて前記クライアントの所属先を前記第１データベースから検索する第１処理要素と、前記第１処理要素により検索された前記クライアントの所属先に基づき、前記第２データベースにより保存されている前記規則にしたがって前記コンテンツの優先順位を決定した上で、前記クライアントにおいて前記ユーザにより指定されることにより閲覧可能なコンテンツの概要を当該優先順位にしたがって前記クライアントに表示させる第２処理要素とを備えていることを特徴とする。
【０００７】
第１発明のコンテンツ管理システムによれば、クライアントの識別子に基づいて認識される当該クライアントの所属先に応じて各コンテンツの優先順位が決定され、この優先順位にしたがって各コンテンツの概要が当該クライアントにおいて表示される。クライアントにおいて概要が表示される優先順位が高いコンテンツが当該クライアントにおいてユーザにより閲覧される確率が高いことに鑑みて、当該クライアントの所属先に対応するユーザの社会的属性に鑑みて適当なコンテンツをこのユーザに優先的に閲覧させることができる。したがって、コンテンツプロバイダによるユーザに対するコンテンツの提供効率の向上を図ることができる。
【０００８】
第２発明のコンテンツ管理システムは、第１発明のコンテンツ管理システムにおいて、前記第２処理要素が前記規則に代えて任意に前記コンテンツの一部の優先順位を決定することを特徴とする。
【０００９】
第２発明のコンテンツ管理システムによれば、規則にしたがって優先順位が決定された場合にはリストに概要が優先的に配列されえないようなコンテンツであっても、その概要が優先的にリストに配列されうる。これにより、クライアントのＩＰアドレスから画一的に割り出されるだけでは予期しえぬ程度に、ユーザにとって適当なコンテンツをこのクライアントを通じて閲覧させる確率上昇が図られる。
【００１０】
第３発明のコンテンツ管理システムは、第１または第２発明のコンテンツ管理システムにおいて、前記第１処理要素が前記クライアントの識別子に基づき、前記クライアントの所属先として上位所属先および当該上位所属先に従属する下位所属先を認識することを特徴とする。
【００１１】
第３発明のコンテンツ管理システムによれば、クライアントの上位所属先および下位所属先に対応するユーザのより詳細な社会的属性に鑑みて適当なコンテンツをこのユーザに優先的に閲覧させることができる。
【００１２】
第４発明のコンテンツ管理システムは、第１〜第３発明のうちいずれか１つのコンテンツ管理システムにおいて、前記第１処理要素が前記クライアントにおいてユーザにより設定されたキーワードを認識した上で、前記キーワードに基づいて前記第２処理要素による優先順位の決定対象となるコンテンツを選択することを特徴とする。
【００１３】
第４発明のコンテンツ管理システムによれば、ユーザにより設定されたキーワードに応じた複数のコンテンツのうち、このクライアントの所属先に対応するユーザの社会的属性に鑑みて適当なコンテンツをこのユーザに優先的に閲覧させることができる。
【００１４】
第５発明のコンテンツ管理システムは、第１〜第３発明のうちいずれか１つのコンテンツ管理システムにおいて、前記第１処理要素が前記クライアントによるアクセス中のサイトを認識した上で、前記サイトに基づいて前記第２処理要素による優先順位の決定対象となるコンテンツを選択することを特徴とする。
【００１５】
第５発明のコンテンツ管理システムによれば、クライアントによりアクセスされているサイトに応じた複数のコンテンツのうち、このクライアントの所属先に対応するユーザの社会的属性に鑑みて適当なコンテンツをこのユーザに優先的に閲覧させることができる。
【００１６】
第６発明のコンテンツ管理システムは、第１〜第５発明のうちいずれか１つのコンテンツ管理システムにおいて、前記第２処理要素が前記第１処理要素により決定された優先順位にしたがって一定方向に配列された前記コンテンツの概要のリストを前記クライアントに表示させることを特徴とする。
【００１７】
第６発明のコンテンツ管理システムによれば、クライアントにおいて概要が表示される優先順位、すなわち、リストにおける概要の配列順位が高いコンテンツが当該クライアントにおいてユーザにより閲覧される確率が高いことに鑑みて、当該クライアントの所属先に対応するユーザの社会的属性に鑑みて適当なコンテンツをこのユーザに優先的に閲覧させることができる。
【００１８】
第７発明のコンテンツ管理システムは、第１〜第６発明のうちいずれか１つのコンテンツ管理システムにおいて、前記第１データベースが前記クライアントの識別子として前記クライアントに割り当てられているＩＰアドレスを保存することを特徴とする。
【００１９】
第７発明のコンテンツ管理システムによれば、クライアントの識別子としてのＩＰアドレスに基づいて認識される当該クライアントの所属先に応じて各コンテンツの優先順位が決定され、この優先順位にしたがって各コンテンツの概要が配列されたリストが当該クライアントにおいて表示される。これにより、前記のようにクライアントの所属先に対応するユーザの社会的属性に鑑みて適当なコンテンツをこのユーザに優先的に閲覧させることができる。
【図面の簡単な説明】
【００２０】
【図１】コンテンツ管理システムの構成説明図である。
【図２】コンテンツ管理システムの機能を表わすフローチャートである。
【図３】コンテンツの概要表示形態に関する説明図である。
【発明を実施するための形態】
【００２１】
本発明のコンテンツ管理システムの実施形態について図面を用いて説明する。図１に示されているコンテンツ管理システム１は、一または複数のサーバコンピュータ（ＣＰＵ，ＲＯＭ，ＲＡＭおよびＩ／Ｏ回路等により構成されている。）により構成されている。コンテンツ管理システム１はコンテンツデータベース１０と、第１データベース１１と、第２データベース１２と、第１処理要素２１と、第２処理要素２２とを備えている。
【００２２】
コンテンツデータベース１０はプロバイダにより提供される商品またはサービスの広告等、クライアント２を通じてユーザにより閲覧されうるコンテンツを保存する。なお、コンテンツデータベース１０は、コンテンツ管理システム１を構成するサーバとは別個のコンテンツサーバ（図示略）の構成要素とされていてもよい。第１データベース１１は各クライアント２のＩＰアドレス（識別子）および所属先を対応付けて保存する。たとえば、ＩＰアドレス群○○‥１２０１〜○○‥１５００と、会社ｉおよびその部門ｊ１とが対応付けられて保存され、ＩＰアドレス群○○‥１５０１〜○○‥１７００と、会社ｉおよびその部門ｊ２とが対応付けられて保存されている。第２データベース１２はクライアント２の所属先に基づき、当該クライアント２に固有のコンテンツの優先順位を決定するための規則を保存する。第２データベース１２はサーチエンジン（たとえば、第１処理要素２１および第２処理要素２２により構成されている。）を管理するセンター業者により保有かつ管理されうる。第１データベース１１および第２データベース１２のそれぞれの管理者は同一であっても相違していてもよい。第１処理要素２１はクライアント２のＩＰアドレスを認識した上で、このＩＰアドレスに基づいてこのクライアント２の所属先を第１データベース１１から検索する。第２処理要素２２は第１処理要素２１により検索されたクライアント２の所属先に基づき、第２データベース１２により保存されている規則にしたがってコンテンツの優先順位を決定した上で、コンテンツの概要を当該優先順位にしたがってクライアント２に表示させる。
【００２３】
クライアント２はコンテンツ管理システム１とインターネット経由での通信機能を有するコンピュータ（ＣＰＵ，ＲＯＭ，ＲＡＭ，Ｉ／Ｏ回路等により構成されている。）である。クライアント２はキーワード入力またはコンテンツ指定等のためのキーワードまたはマウス装置等の入力装置と、リストまたはコンテンツを表示するディスプレイ装置とを備えている。
【００２４】
前記構成のコンテンツ管理システムの機能について説明する。クライアント２においてユーザによるキーボードの操作またはマウスのクリック操作等に応じて入力されたキーワードおよびこのキーワードに応じたコンテンツ検索のリクエストの有無が判定される（図２／ＳＴＥＰ２０２）。キーワードおよびコンテンツ検索のリクエストがあったと判定された場合（図２／ＳＴＥＰ２０２‥ＹＥＳ）、コンテンツ管理システム１を構成するサーバとクライアント２との通信に基づき、第１処理要素１１によりクライアント２に入力されたキーワードおよびクライアント２のＩＰアドレスの一部または全部が認識される（図２／ＳＴＥＰ１０２）。キーワード検索のリクエストがないと判定された場合（図２／ＳＴＥＰ２０２‥ＮＯ、後述するようにユーザによるコンテンツの指定有無が判定される（図２／ＳＴＥＰ２０６）
また、コンテンツデータベース１０により保存されている複数のコンテンツのうち、キーワードに応じたコンテンツ群が第１処理要素１１により選択または検索される（図２／ＳＴＥＰ１０４）。たとえば「金属」というキーワードに応じて、このキーワードが記載事項に含まれているコンテンツ群が選択される。なお、クライアント２に入力されたキーワードに応じて優先順位の決定対象となるコンテンツ群が選択される代わりに、クライアント２がアクセスした指定サイトに応じて当該コンテンツ群が選択されてもよい。たとえば、環境に関するサイトに応じて、「地球温暖化」「水質汚染」等の環境に関する語句が記載事項に含まれているコンテンツ群が選択される。なお、当該コンテンツの選択処理は省略されてもよい。
【００２５】
さらに、第１処理要素１１により、当該ＩＰアドレスに対応する所属先が第１データベース１１から認識される（図２／ＳＴＥＰ１０６）。たとえば、ＩＰアドレス「ＩＰアドレス○○‥１２３４」に応じて会社ｉ（第１位所属先（上位所属先））およびこの会社ｉに従属する部門ｊ１（第２位所属先（下位従属先））がクライアント２の所属先として認識されうる。なお、第３位以下のさらに下位の所属先が認識されてもよい。
【００２６】
そして、当該所属先に基き、第２データベース１２により保存されている規則にしたがって、第２処理要素２２により選択されたコンテンツのそれぞれの優先順位が決定される（図２／ＳＴＥＰ１０８）。たとえば、コンテンツｋごとにあらかじめ定義されているマトリクスＲ(Ｋ)の要素のうち、第１位所属先である会社ｉおよび第２位所属先である部門ｊにより指定される要素Ｒij(Ｋ)が、当該コンテンツＫの優先順位として決定される。異なるコンテンツが同順位となることが回避されるように当該マトリクスＲ(Ｋ)が定義されている。これにより、コンテンツＫ1は第２０２位（Ｒij(Ｋ1)＝２０２）であり、コンテンツＫ2は第１１位（Ｒij(Ｋ2)＝１１）である等、各コンテンツの優先順位が決定される。なお、当該マトリクスと数学的に等値の関数ＦK(ｉ，ｊ)にしたがって、コンテンツＫ1は第２０２位（ＦK1(ｉ，ｊ)＝２０２）であり、コンテンツＫ2は第１１位（ＦK2(ｉ，ｊ)＝１１）である等、各コンテンツの優先順位が決定されてもよい。
【００２７】
続いてコンテンツ管理システム１を構成するサーバとクライアント２との通信に基づき、クライアント２により各コンテンツの概要および優先順位が認識され、優先順位にしたがって各コンテンツの概要がディスプレイに表示される（図２／ＳＴＥＰ２０４）。具体的には、図３（ａ）に示されているように複数のコンテンツの概要（文字および記号等により構成されている。）Ａｂｓｋ（ｋ＝１，２，‥）が、優先順位にしたがって下方（一定方向）に順番に配列されているリストがクライアント２のディスプレイに表示される。また、図３（ｂ）に示されているようにクライアント２がアクセスしているサイトにおいて、複数のコンテンツの概要（画像、文字および記号等により構成されている。）Ａｂｓｋ（ｋ＝１，２，‥）が、優先順位にしたがって配列されている画像がクライアント２のディスプレイに表示される。
【００２８】
クライアント２によりディスプレイに概要が表示されたコンテンツのユーザによる指定有無が判定される（図２／ＳＴＥＰ２０６）。たとえば、コンテンツの概要を表わす画像もしくは文字またはその一部がクリック操作等されたか否かが判定される。そして、コンテンツ指定があったと判定された場合（図２／ＳＴＥＰ２０６‥ＹＥＳ）、当該指定コンテンツがコンテンツデータベース１０からクライアント２に提供され、そのディスプレイに表示される（図２／ＳＴＥＰ２０８）。一方、コンテンツ指定がなかったと判定された場合（図２／ＳＴＥＰ２０６‥ＮＯ）、前述のキーワード検索のリクエスト有無の判定以降の処理が繰り返される（図２／ＳＴＥＰ２０２等参照）。
【００２９】
前記機能を発揮するコンテンツ管理システム１によれば、ユーザにより設定されたキーワードまたはクライアント２によりアクセスされているサイトに応じた複数のコンテンツが選択される（図２／ＳＴＥＰ１０２，ＳＴＥＰ１０４参照）。そして、クライアント２のＩＰアドレス（識別子）に基づいて認識される当該クライアント２の所属先に応じて、当該選択コンテンツのそれぞれの優先順位が決定され、この優先順位にしたがって各コンテンツの概要が当該クライアント２において表示される（図２／ＳＴＥＰ１０２，ＳＴＥＰ１０６，ＳＴＥＰ１０８，ＳＴＥＰ２０８，図３（ａ）（ｂ）参照）。クライアント２において概要が表示される優先順位が高いコンテンツが当該クライアント２においてユーザにより閲覧される確率が高いことに鑑みて、当該クライアント２の所属先に対応するユーザの社会的属性に鑑みて適当なコンテンツをこのユーザに優先的に閲覧させることができる。クライアント２においてユーザにより閲覧される確率が高くなるように、優先順位にしたがったコンテンツの概要の表示形態には工夫されていることが前提条件とされている。したがって、コンテンツプロバイダによるユーザに対するコンテンツの提供効率の向上を図ることができる。
【００３０】
このため、たとえば、商品またはサービスの製造業者、販売業者または取扱業者等が、商品等の販売促進、売上向上または市場拡大等の商業的成功を図りうるようなユーザに対して、コンテンツプロバイダとして当該商品または当該サービスに関するコンテンツを効率的に提供することが可能となる。また、コンテンツプロバイダが、コンテンツのキーワードによるサーチエンジンを管理等するセンター業者に対してそのコンテンツへのアクセス回数に応じた金員を支払うという商取引契約が締結されている場合、当該金員支払は非常に有意義なものとなる。さらに、センター業者が責任を負う必要はなく、コンテンツの健全な需要および供給等の観点から著しく適当な世界が実現される。また、社会の発展に貢献しようとする善良な企業または個人の円滑な経済的活動が促進され、社会的にも貢献が大きい。
【００３１】
なお、第２処理要素２２が規則に代えて任意にコンテンツの一部の優先順位を決定してもよい。当該構成のコンテンツ管理システム１によれば、規則にしたがって優先順位が決定された場合にはリストに概要が優先的に配列されえないようなコンテンツであっても、その概要が優先的にリストに配列されうる。たとえば、第５位、第１５位、第２５位等の任意の順位については、第２データベース１２により保存されている規則ではなく、ランダムにコンテンツが割り当てられうる。これにより、クライアント２のＩＰアドレスから画一的に割り出されるだけでは予期しえぬ程度に、ユーザにとって適当なコンテンツをこのクライアント２を通じて閲覧させる確率上昇が図られる。
【符号の説明】
【００３２】
１‥コンテンツ管理システム、２‥クライアント、１０‥コンテンツデータベース、１１‥第１データベース、１２‥第２データベース、２１‥第１処理要素、２２‥第２処理要素
【図１】
2010170247.tif 000003
【図２】
2010170247.tif 000004
【図３】
2010170247.tif 000005